(57)【特許請求の範囲】
【請求項１】
自機の現在地を検出して位置情報を出力する現在地検出手段と、
楽曲を再生する楽曲再生手段と、
画像を再生する画像再生手段と、
所定の位置を通過した日時を示す通過日時情報と、その前記所定の位置を示す位置情報とを関連付けた位置時間情報テーブル、及び、楽曲を特定するための楽曲情報と、当該楽曲の再生時における位置情報とが関連付けられた楽曲情報テーブル、を記憶する記憶手段と、
外部から撮影日時情報を有した画像情報を取得する取得手段と、
前記取得手段により画像情報が取得された後に、前記位置時間情報テーブルを参照して、その取得された画像情報の前記撮影日時情報に一致する通過日時情報があるか否かを判定し、一致する通過日時情報があった場合、その一致した通過日時情報に関連付けられている位置情報を、取得された前記画像情報に関連付ける制御手段と、
を備え、
前記記憶手段は、取得された前記画像情報と、前記制御手段によって関連付けられた位置情報とが関連付けられた画像情報テーブルを更に記憶し、
前記制御部は、
前記画像再生手段による画像再生時、当該画像の画像情報に関連付けられた位置情報を前記画像再生手段に再生させ、且つ／又は、当該画像情報に関連付けられた楽曲情報の楽曲を前記楽曲再生手段に再生させる、情報処理装置。
【請求項２】
自機の現在地を検出する現在地検出手段と、
楽曲を再生する楽曲再生手段と、
画像を再生する画像再生手段と、
所定の位置を通過した日時を示す通過日時情報と、その前記所定の位置を示す位置情報とを関連付けた位置時間情報テーブル、及び、楽曲を特定するための楽曲情報と、当該楽曲の再生時における位置情報とが関連付けられた楽曲情報テーブル、を記憶する記憶手段と、
外部から撮影日時情報を有した画像情報を取得する取得手段と、
前記取得手段により画像情報が取得された後に、前記位置時間情報テーブルを参照して、その取得された画像情報の前記撮影日時情報に一致する通過日時情報があるか否かを判定し、一致する通過日時情報があった場合、その一致した通過日時情報に関連付けられている位置情報を、取得された前記画像情報に関連付ける制御手段と、
を備え、
前記記憶手段は、取得された前記画像情報と、前記制御手段によって関連付けられた位置情報とが関連付けられた画像情報テーブルを更に記憶し、
前記制御部は、
前記楽曲再生手段による楽曲再生時、当該楽曲の楽曲情報に関連付けられた位置情報を前記画像再生手段に再生させ、且つ／又は、当該楽曲情報に関連付けられた位置情報と一致する位置情報に関連付けられた画像情報の画像を前記画像再生手段に再生させる、情報処理装置。
【請求項３】
前記楽曲再生手段は、前記情報処理装置に接続される外部の楽曲再生機器である、
請求項１又は２に記載の情報処理装置。
【請求項４】
日時情報と関連付けられた情報を外部から取得する取得手段と、
前記取得手段によって日時情報を有した情報が取得された後に、日時情報と位置情報とを関連付けて記憶している記憶手段を参照して、前記取得手段によって取得された情報における日時情報に一致する日時情報があるか否かを判定し、一致する日時情報があった場合、その一致した日時情報に関連付けられている位置情報を、前記取得手段によって取得された情報に関連付ける制御部と、
を備えることを特徴とする情報処理装置。
【請求項５】
前記記憶手段が記憶している前記日時情報は、所定の位置を通過した日時を示す通過日時情報であり、前記記憶手段が記憶している前記位置情報は、その前記所定の位置を示す位置情報であることを特徴とする請求項４記載の情報処理装置。
【請求項６】
前記通過日時情報は、前記情報処理装置が所定の位置を通過したときの日時を示す通過日時情報であることを特徴とする請求項５記載の情報処理装置。
【請求項７】
前記取得手段が取得する情報は画像情報であり、その画像情報に関連付けられた前記日時情報は撮影日時情報であることを特徴とする請求項４〜６のいずれか１項に記載の情報処理装置。
【発明の詳細な説明】
【技術分野】
【０００１】
本発明は、情報処理装置に関する。
【背景技術】
【０００２】
従来、ＤＡＰ（Digital Audio Player）等において扱われる楽曲データ、カーナビゲーション装置等において扱われる位置情報、デジタルカメラ等において扱われる画像データはそれぞれ関連付けられておらず、各機器は単独で動作していた。
【０００３】
しかし、近年、位置情報と画像データとを関連付ける技術が開示されている。具体的には、画像の撮影場所としての位置情報と画像とを関連付け、画像を表示するときに、撮影場所に関連する楽曲を再生する技術が開示されている（特許文献１参照）。
【特許文献１】特開２００６−１３５８９５号公報
【発明の開示】
【発明が解決しようとする課題】
【０００４】
しかし、特許文献１の技術は、画像表示時に、当該画像の撮影場所に関連する楽曲（例えば、その土地（撮影場所）にちなんだ曲名を持つ楽曲）を再生する技術であり、当該画像の撮影を行った場所で実際に再生していた楽曲が再生されるとは限らない。
【０００５】
また、例えばドライブ中に、過去に通過した地点を再び通過した際、過去にその地点で再生していた楽曲と同じ楽曲を自動で再生する技術はない。
【０００６】
本発明は、上述したような課題に鑑みて為されたものであり、その目的とするところは、位置情報と楽曲等のコンテンツとの関連付けを行い、実際に過去にコンテンツを再生していた場所で、再び同じコンテンツを再生する等の、ユーザの望むコンテンツを再生する情報処理装置を提供することである。
【課題を解決するための手段】
【０００７】
上記の課題を解決するために、請求項１に記載の情報処理装置は、
自機の現在地を検出して位置情報を出力する現在地検出手段と、
楽曲を再生する楽曲再生手段と、
画像を再生する画像再生手段と、
所定の位置を通過した日時を示す通過日時情報と、その前記所定の位置を示す位置情報とを関連付けた位置時間情報テーブル、及び、楽曲を特定するための楽曲情報と、当該楽曲の再生時における位置情報とが関連付けられた楽曲情報テーブル、を記憶する記憶手段と、
外部から撮影日時情報を有した画像情報を取得する取得手段と、
前記取得手段により画像情報が取得された後に、前記位置時間情報テーブルを参照して、その取得された画像情報の前記撮影日時情報に一致する通過日時情報があるか否かを判定し、一致する通過日時情報があった場合、その一致した通過日時情報に関連付けられている位置情報を、取得された前記画像情報に関連付ける制御手段と、
を備え、
前記記憶手段は、取得された前記画像情報と、前記制御手段によって関連付けられた位置情報とが関連付けられた画像情報テーブルを更に記憶し、
前記制御部は、
前記画像再生手段による画像再生時、当該画像の画像情報に関連付けられた位置情報を前記画像再生手段に再生させ、且つ／又は、当該画像情報に関連付けられた楽曲情報の楽曲を前記楽曲再生手段に再生させる。
【０００８】
請求項２に記載の情報処理装置は、
自機の現在地を検出する現在地検出手段と、
楽曲を再生する楽曲再生手段と、
画像を再生する画像再生手段と、
所定の位置を通過した日時を示す通過日時情報と、その前記所定の位置を示す位置情報とを関連付けた位置時間情報テーブル、及び、楽曲を特定するための楽曲情報と、当該楽曲の再生時における位置情報とが関連付けられた楽曲情報テーブル、を記憶する記憶手段と、
外部から撮影日時情報を有した画像情報を取得する取得手段と、
前記取得手段により画像情報が取得された後に、前記位置時間情報テーブルを参照して、その取得された画像情報の前記撮影日時情報に一致する通過日時情報があるか否かを判定し、一致する通過日時情報があった場合、その一致した通過日時情報に関連付けられている位置情報を、取得された前記画像情報に関連付ける制御手段と、
を備え、
前記記憶手段は、取得された前記画像情報と、前記制御手段によって関連付けられた位置情報とが関連付けられた画像情報テーブルを更に記憶し、
前記制御部は、
前記楽曲再生手段による楽曲再生時、当該楽曲の楽曲情報に関連付けられた位置情報を前記画像再生手段に再生させ、且つ／又は、当該楽曲情報に関連付けられた位置情報と一致する位置情報に関連付けられた画像情報の画像を前記画像再生手段に再生させる。
【０００９】
請求項３に記載の情報処理装置は、請求項１又は２に記載の発明において、
前記楽曲再生手段は、前記情報処理装置に接続される外部の楽曲再生機器である。
【００１０】
請求項４に記載の情報処理装置は、
日時情報と関連付けられた情報を外部から取得する取得手段と、
前記取得手段によって日時情報を有した情報が取得された後に、日時情報と位置情報とを関連付けて記憶している記憶手段を参照して、前記取得手段によって取得された情報における日時情報に一致する日時情報があるか否かを判定し、一致する日時情報があった場合、その一致した日時情報に関連付けられている位置情報を、前記取得手段によって取得された情報に関連付ける制御部と、
を備える。
【００１１】
請求項５に記載の発明は、請求項４に記載の発明において、
前記記憶手段が記憶している前記日時情報は、所定の位置を通過した日時を示す通過日時情報であり、前記記憶手段が記憶している前記位置情報は、その前記所定の位置を示す位置情報である。
【００１２】
請求項６に記載の発明は、請求項５に記載の発明において、
前記通過日時情報は、前記情報処理装置が所定の位置を通過したときの日時を示す通過日時情報である。
【００１３】
請求項７に記載の発明は、請求項４〜６のいずれか１項に記載の発明において、
前記取得手段が取得する情報は画像情報であり、その画像情報に関連付けられた前記日時情報は撮影日時情報である。
【発明の効果】
【００１４】
本発明によれば、位置情報と楽曲等のコンテンツとの関連付けを行い、実際に過去にコンテンツを再生していた場所で、再び同じコンテンツを再生する等の、ユーザの望むコンテンツを再生する情報処理装置を提供することができる。
【発明を実施するための最良の形態】
【００１５】
以下、図面を参照して、本発明に係る情報処理装置の一実施形態について説明する。本実施形態において、情報処理装置を車両に搭載される車載情報処理装置として適用した場合について説明する。
【００１６】
[車載情報処理装置の構成]
図１に、車載情報処理装置１０の機能構成を示す。車載情報処理装置１０は、車両に搭載されて当該車両の走行案内のための各処理を行う。また、車載情報処理装置１０は、楽曲や画像の再生を行う。
【００１７】
図１に示すように、車載情報処理装置１０は、制御部１１、ＲＯＭ１２、操作部１３、表示部１４、音声出力部１５、通信部１６、Ｉ／Ｆ部１７、現在地検出部１８、記憶部１９を備えて構成されている。
【００１８】
制御部１１は、ＣＰＵ（Central Processing Unit）、ＲＡＭ（Random Access Memory）等から構成されている。制御部１１は、ＲＯＭ（Read Only Memory）１２に記憶されている各種制御プログラムを読み出し、当該制御プログラムとの協働により演算、制御を行う。
【００１９】
例えば、制御部１１は経路探索用のプログラムとの協働により、現在地検出部１８から取得した現在地の情報及び記憶部１９に記憶された地図情報等に基づいて自車の現在地から目的地までの案内経路を算出する。また、その案内経路への誘導を行うため、表示部１４による案内画面の表示制御や音声出力部１５等によるガイド音声の出力制御を行う。
【００２０】
また、制御部１１は楽曲再生用のプログラムとの協働により、音声出力部１５による記憶部１９に記憶された楽曲データの再生制御を行う。尚、当該楽曲データの再生制御として、楽曲通常再生処理、楽曲自動再生処理等がある。これらの処理についての詳細は後述する。
【００２１】
また、制御部１１は画像再生用のプログラムとの協働により、表示部１４による記憶部１９に記憶された画像データの再生制御を行う。
【００２２】
また、制御部１１は画像楽曲再生用のプログラムとの協働により、表示部１４による記憶部１９に記憶された画像データの再生と、音声出力部１５による記憶部１９に記憶された楽曲データの再生との連動制御を行う。尚、当該連動制御として、画像連動表示処理、楽曲連動再生処理等がある。これらの処理についての詳細は後述する。
【００２３】
また、制御部１１は外部情報取得用のプログラムとの協働により、外部記憶媒体２０からＩ／Ｆ部１７を介した各種データの取得制御を行う。尚、当該取得制御として、画像取得処理等がある。画像取得処理についての詳細は後述する。
【００２４】
通信部１６は、携帯電話等の通信端末を接続して外部と通信を行う。例えば、通信部１６は制御部１１の通信制御に従って外部からガイド情報を受信する。ガイド情報とは、案内経路の誘導に際してユーザに提供する情報であり、例えば道路規制情報、渋滞情報、レーン情報（車線の数や右左折の規制等の情報）等をいう。通信部１６は、ＶＩＣＳ（登録商標）（Vehicle Information and Communication System）センターや他車との通信によりこれら道路規制情報等を受信する。
【００２５】
操作部１３は、操作キーの他、リモートコントローラ、表示部１４と一体に構成されるタッチパネル等を備え、これらの操作に応じた操作信号を生成して制御部１１に出力する。
【００２６】
現在地検出部１８は、ＧＰＳ（Global Positioning System）アンテナ、角度センサ、方位センサ、距離センサ等の各種センサを備え、これらセンサによる検出結果に基づいて自車の現在地を検出する。ＧＰＳアンテナは、ＧＰＳ衛星から送信されるＧＰＳ信号を検出する。また、角度センサは移動方向の変化量を示す車の角速度（単位時間当たりの水平方向への回転速度）を検出し、方位センサは地磁気の検出を行い、車両の絶対方位を検出する。距離センサは、車輪の回転に応じた単位走行距離毎のパルス信号を検出する。現在地検出部１８は、これらセンサから取得した各検出結果に基づいて車両の現在地を示す位置情報（緯度、経度の情報等）を生成し、制御部１１に出力する。
【００２７】
ＲＯＭ１２は、不揮発性の半導体メモリ等により構成され、制御部１１により実行される制御プログラム、プログラムの実行に必要なデータ等を記憶する。
【００２８】
表示部１４は、ＬＣＤ（Liquid Crystal Display）により構成され、制御部１１から入力される表示信号の指示に従って、記憶部１９に記憶されている画像データに基づいた画像の表示、自車の現在地から目的地までの誘導を行うための案内画面の表示等を行う。
【００２９】
音声出力部１５は、制御部１１から入力される出力信号の指示に従って、記憶部１９に記憶されている楽曲データに基づく楽曲や自車の現在地から目的地までの誘導を行うためのガイド音声等をＤ／Ａ変換した後、出力する。
【００３０】
Ｉ／Ｆ部１７は、外部機器とのデータの送受信を行うためのインターフェース部である。Ｉ／Ｆ部１７は、ＵＳＢ（Universal Serial Bus）等の有線の通信規格を用いた構成としてもよいし、ブルートゥース（Bluetooth）（登録商標）等の無線の通信規格を用いた構成としてもよい。
【００３１】
記憶部１９は、ハードディスク等の記憶装置であり、地図情報、位置時間情報テーブル１９１、楽曲ファイルデータベース１９２、楽曲情報テーブル１９３、画像ファイルデータベース１９４、画像情報テーブル１９５等を記憶する。
【００３２】
位置時間情報テーブル１９１は、現在地検出部１８により検出された位置情報に、当該位置を通過した日時（以下、通過日時と称す）を対応させたデータテーブルである。図２に位置時間情報テーブル１９１のデータ構成を示す。ここで、位置情報とは、緯度と経度から成る情報である。尚、位置情報は、緯度と経度から成る情報に限定されるものではなく、例えば、住所等の情報にしてもよい。制御部１１は、当該位置時間情報テーブル１９１に位置情報と通過日時とを蓄積記憶させる。
【００３３】
楽曲ファイルデータベース１９２は、楽曲データに当該楽曲データのファイル名である楽曲ファイル名を対応させたデータベースである。図３に楽曲ファイルデータベース１９２のデータ構成を示す。制御部１１は、当該楽曲ファイルデータベース１９２に記憶されている楽曲データを読み出し、音声出力部１５に楽曲を出力させる。
【００３４】
制御部１１は、図示しないＣＤメカ部に格納されたＣＤメディアから楽曲ファイル名と楽曲データとを取得し、楽曲ファイルデータベース１９２に各情報を記憶させる。尚、制御部１１は、Ｉ／Ｆ部１７を介して外部記憶媒体２０に記憶された楽曲ファイル名と楽曲データを取得し、楽曲ファイルデータベース１９２に各情報を記憶させるとしてもよい。
【００３５】
制御部１１は、当該楽曲ファイルデータベース１９２に記憶されている楽曲ファイル名を再生リストとして表示部１４に表示させる。ユーザは、当該再生リストを参照して、聞きたい楽曲を選択したり、現在の再生している曲のファイル名を認識したりする。
【００３６】
楽曲情報テーブル１９３は、位置情報と再生日時と楽曲ファイル名とを関連付けたデータテーブルである。図４に楽曲情報テーブル１９３のデータ構成を示す。制御部１１は、再生した楽曲と、当該楽曲が再生された再生日時と、当該楽曲の再生時に現在地検出部１８により検出された位置情報とを関連付けて、当該楽曲情報テーブル１９３にこの関連付けた各データを蓄積記憶させる。尚、「再生日時」とは、楽曲の再生開始時刻でもよいし、楽曲の再生終了時刻でもよい。
【００３７】
画像ファイルデータベース１９４は、画像データに当該画像データのファイル名である画像ファイル名を対応させたデータベースである。図５に画像ファイルデータベース１９４のデータ構成を示す。制御部１１は、当該画像ファイルデータベース１９４に記憶されている画像データを読み出し、表示部１４に画像を表示させる。
【００３８】
画像情報テーブル１９５は、位置情報と撮影日時と画像ファイル名とを関連付けたテーブルである。図６に画像情報テーブル１９５のデータ構成を示す。撮影日時とは、関連付けられた画像ファイル名の画像が撮影された日時である。
【００３９】
制御部１１は、車載情報処理装置１０の起動時、位置時間情報テーブル１９１、楽曲ファイルデータベース１９２の楽曲ファイル名一覧、楽曲情報テーブル１９３、画像情報テーブル１９５をＲＡＭに読み込む。
【００４０】
そして、制御部１１は、ＲＡＭ内に読み込んだ各テーブルや楽曲ファイル名一覧と、記憶部１９内に記憶されている各テーブルや楽曲ファイル名一覧と、の間で整合性をとる。具体的に、制御部１１は、ＲＡＭ内に読み込んだ各テーブルや楽曲ファイル名一覧のデータの更新を行うと、それに対応する記憶部１９内に記憶されている各テーブルや楽曲ファイル名一覧のデータの更新も同時に行う。
【００４１】
[外部記憶媒体の構成]
外部記憶媒体２０は、車載情報処理装置１０のＩ／Ｆ部１７と接続される。当該外部記憶媒体２０はＵＳＢメモリであってもよいし、デジタルカメラ（以下、デジカメと称す）内の記憶部であってもよい。外部記憶媒体２０は、デジカメ内画像ファイルデータベース２０１、デジカメ内画像情報テーブル２０２等を記憶する。
【００４２】
デジカメ内画像ファイルデータベース２０１は、画像データに当該画像データのファイル名である画像ファイル名を対応させたデータベースである。図７にデジカメ内画像ファイルデータベース２０１のデータ構成を示す。このデジカメ内画像ファイルデータベース２０１は、デジカメにおいて作成され、当該外部記憶媒体２０に記憶される。
【００４３】
デジカメ内画像情報テーブル２０２は、撮影日時と画像ファイル名とを関連付けたデータテーブルである。図８にデジカメ内画像情報テーブル２０２のデータ構成を示す。このデジカメ内画像情報テーブル２０２は、デジカメにおいて作成され、当該外部記憶媒体２０に記憶される。
【００４４】
当該デジカメ内画像情報テーブル２０２の撮影日時は、当該撮影日時に対応する画像ファイル名の画像が撮影された日時である。尚、デジカメ内画像ファイルデータベース２０１内の画像ファイル名と、デジカメ内画像情報テーブル２０２内の画像ファイル名とは、１対１に対応している。
【００４５】
制御部１１は、Ｉ／Ｆ部１７を介して外部記憶媒体２０に記憶されたデジカメ内画像ファイルデータベース２０１を取得して、当該データベース内のデータを画像ファイルデータベース１９４に保存する。
【００４６】
また、制御部１１は、Ｉ／Ｆ部１７を介して外部記憶媒体２０に記憶されたデジカメ内画像情報テーブル２０２を取得して、当該テーブル内のデータを画像情報テーブル１９５に保存する。この際、デジカメ内画像情報テーブル２０２から画像情報テーブル１９５に新たに追加された画像ファイル名に対応する位置情報の値は「Ｕｎｋｎｏｗｎ」となる。
【００４７】
[車載情報処理装置の具体的な動作]
次に、車載情報処理装置１０の動作について説明する。
【００４８】
[楽曲通常再生処理]
図９は、車載情報処理装置１０において制御部１１が実行する楽曲通常再生処理を示すフローチャートである。楽曲通常再生処理は、ユーザ操作による操作部１３からの操作信号に基づいて開始される。
【００４９】
図９に示すように、制御部１１は再生する楽曲データ（１曲分）を記憶部１９に記憶されている楽曲ファイルデータベース１９２から読み出す（ステップＳ１）。そして、制御部１１は、読み出した楽曲データに基づいて、音声出力部１５に楽曲を再生させる（ステップＳ２、ステップＳ３；Ｎｏ）。
【００５０】
制御部１１は、１曲分の楽曲の再生が終了したと判定すると（ステップＳ３；Ｙｅｓ）、再生した楽曲の楽曲ファイル名と、当該楽曲を再生した再生日時と、当該楽曲の再生時に現在地検出部１８により検出された位置情報とを関連付けた楽曲関連付け情報を生成する関連付け処理を行う（ステップＳ４）。
【００５１】
そして、制御部１１は、当該楽曲関連付け情報を楽曲情報テーブル１９３に追加する（ステップＳ５）。そして、制御部１１は、次に再生する楽曲データがあるか判定する（ステップＳ６）。制御部１１は、操作部１３からの楽曲通常再生処理の終了を示す操作信号に基づいて、次に再生する楽曲データの有無を判定してもよいし、ＲＡＭに読み込まれている楽曲ファイル名の一覧を参照して、次に再生する楽曲データの有無を判定してもよい。
【００５２】
次に再生する楽曲データがない場合（ステップＳ６；Ｎｏ）、制御部１１は、楽曲通常再生処理を終了する。また、次に再生する楽曲データがある場合（ステップＳ６；Ｙｅｓ）、制御部１１は、次に再生する楽曲データ（１曲分）を記憶部１９に記憶されている楽曲ファイルデータベース１９２から読み出す（ステップＳ１）。
【００５３】
このようにして、制御部１１は、楽曲情報テーブル１９３に、再生した楽曲の楽曲ファイル名と、当該楽曲を再生した再生日時と、当該楽曲の再生時に現在地検出部１８により検出された位置情報と、を蓄積していく。
【００５４】
[楽曲自動再生処理]
図１０は、車載情報処理装置１０において制御部１１が実行する楽曲自動再生処理を示すフローチャートである。楽曲自動再生処理は、ユーザ操作による操作部１３からの操作信号に基づいて開始される。
【００５５】
図１０に示すように、制御部１１は、現在地検出部１８により検出された現在の位置情報と楽曲情報テーブル１９３内の位置情報とを照合し（ステップＳ１０１）、一致する位置情報があるか否かを判定する（ステップＳ１０２）。尚、ここでの「一致する位置情報」とは、完全一致に限らず、例えば、距離の差が１ｋｍ以内であれば「一致する」としてもよい。
【００５６】
判定の結果、一致する位置情報がない場合（ステップＳ１０２；Ｎｏ）、制御部１１は、再び、現在地検出部１８により検出された現在の位置情報と楽曲情報テーブル１９３内の位置情報とを照合する（ステップＳ１０１）。
【００５７】
照合の結果、一致する位置情報がある場合（ステップＳ１０２；Ｙｅｓ）、制御部１１は、一致する位置情報に対応する楽曲ファイル名の楽曲データ（１曲分）を、記憶部１９に記憶されている楽曲ファイルデータベース１９２から読み出す（ステップＳ１０３）。
【００５８】
そして、制御部１１は、読み出した楽曲データに基づいて、音声出力部１５に楽曲を再生させる（ステップＳ１０４、ステップＳ１０５；Ｎｏ）。
【００５９】
制御部１１は、１曲分の楽曲の再生が終了したと判定すると（ステップＳ１０５；Ｙｅｓ）、楽曲自動再生処理を終了するか否かを判定する（ステップＳ１０６）。制御部１１は、操作部１３からの楽曲自動再生処理の終了を示す操作信号に基づいて終了の判定を行ってもよいし、操作部１３からの操作信号に基づいて、楽曲自動再生処理の再生時間を設定し、当該設定された再生時間と実際の再生時間との比較によって終了の判定を行ってもよい。
【００６０】
判定の結果、楽曲自動再生処理を終了する場合（ステップＳ１０６；Ｙｅｓ）、制御部１１は、楽曲自動再生処理を終了する。また、楽曲自動再生処理を終了しない場合（ステップＳ１０６；Ｎｏ）、制御部１１は、再び、現在地検出部１８により検出された現在の位置情報と楽曲情報テーブル１９３内の位置情報とを照合する（ステップＳ１０１）。
【００６１】
この自動楽曲再生処理によって、ドライブ中に、過去に通過した地点を再び通過した際、過去にその地点で再生していた楽曲と同じ楽曲を自動で再生する事ができる。そのため、車両の運転者等のユーザは、旅行先等で大変懐かしく感じる楽曲を聴くことができる。
【００６２】
[画像取得処理]
図１１は、車載情報処理装置１０において制御部１１が実行する画像取得処理を示すフローチャートである。画像取得処理は、外部記憶媒体２０がＩ／Ｆ部１７に接続されたときに開始される。
【００６３】
図１１に示すように、外部記憶媒体２０がＩ／Ｆ部１７に接続されると、制御部１１は、外部記憶媒体２０からデジカメ内画像ファイルデータベース２０１を取得し（ステップＳ２０１）、当該データベース内のデータを記憶部１９に記憶されている画像ファイルデータベース１９４に保存する（ステップＳ２０２）。
【００６４】
そして、制御部１１は、外部記憶媒体２０からデジカメ内画像情報テーブル２０２を取得し（ステップＳ２０３）、当該テーブル内のデータを画像情報テーブル１９５に保存する（ステップＳ２０４）。この際、デジカメ内画像情報テーブル２０２から画像情報テーブル１９５に新たに追加された画像ファイル名に対応する位置情報の値は「Ｕｎｋｎｏｗｎ」となる。
【００６５】
そして、制御部１１は、画像情報テーブル１９５内の新たに追加された１つの画像ファイル名に対応する撮影日時と位置時間情報テーブル１９１内の全ての通過日時とを照合し（ステップＳ２０５）、一致する日時情報（通過日時）があるか否かを判定する（ステップＳ２０６）。尚、ここでの「一致する日時情報」とは、完全一致に限らず、例えば、時間差が一時間以内であれば「一致する」としてもよい。
【００６６】
照合の結果、位置時間情報テーブル１９１内に、一致する日時情報（通過日時）がない場合（ステップＳ２０６；Ｎｏ）、画像情報テーブル１９５内の新たに追加された全ての画像ファイル名に対応する撮影日時の照合が済んだか判定する（ステップＳ２０８）。
【００６７】
ステップＳ２０５における照合の結果、位置時間情報テーブル１９１内に、一致する日時情報（通過日時）がある場合（ステップＳ２０６；Ｙｅｓ）、制御部１１は、画像情報テーブル１９５内の照合対象となっている日時情報（撮影日時）に対応する位置情報の値を、位置時間情報テーブル１９１内の当該一致する日時情報（通過日時）に対応する位置情報の値に上書きする（ステップＳ２０７）。つまり、画像情報テーブル１９５内の位置情報の値が「Ｕｎｋｎｏｗｎ」から位置時間情報テーブル１９１内の対応する位置情報の値に上書きされる。
【００６８】
そして、制御部１１は、画像情報テーブル１９５内の新たに追加された全ての画像ファイル名に対応する撮影日時の照合が済んだか判定する（ステップＳ２０８）。
【００６９】
制御部１１は、全撮影日時の照合が済んだと判定すると（ステップＳ２０８；Ｙｅｓ）、画像取得処理を終了する。また、全撮影日時の照合が済んでいないと判定すると（ステップＳ２０８；Ｎｏ）、制御部１１は、再び、画像情報テーブル１９５内の新たに追加された１つの画像ファイル名に対応する撮影日時と位置時間情報テーブル１９１内の全ての通過日時とを照合する（ステップＳ２０５）。この際、前回照合対象となった画像の撮影日時とは別の画像の撮影日時が照合対象となる。
【００７０】
[画像連動表示処理]
図１２は、車載情報処理装置１０において制御部１１が実行する画像連動表示処理を示すフローチャートである。画像連動表示処理は、ユーザ操作による操作部１３からの操作信号に基づいて開始される。
【００７１】
図１２に示すように、制御部１１は、再生する画像データ（１枚分）を記憶部１９に記憶されている画像ファイルデータベース１９４から読み出す（ステップＳ３０１）。そして、制御部１１は、読み出した画像データに基づいて、表示部１４に画像を表示させる。同時に、制御部１１は、画像情報テーブル１９５内の、読み出した画像データの画像ファイル名に対応する位置情報と撮影日時とを表示部１４に表示させる（ステップＳ３０２）。
【００７２】
次に、制御部１１は、表示部１４に表示されている位置情報と、楽曲情報テーブル１９３内の位置情報とを照合する（ステップＳ３０３）。
【００７３】
照合の結果、一致する位置情報がない場合（ステップＳ３０４；Ｎｏ）、制御部１１は、次の画像を再生するか否かの判定を行う（ステップＳ３０７）。ステップＳ３０７についての詳細は後述する。
【００７４】
照合の結果、一致する位置情報がある場合（ステップＳ３０４；Ｙｅｓ）、制御部１１は、一致する位置情報に対応する楽曲ファイル名の楽曲データ（１曲分）を、記憶部１９に記憶されている楽曲ファイルデータベース１９２から読み出す（ステップＳ３０５）。
【００７５】
そして、制御部１１は、読み出した楽曲データに基づいて、音声出力部１５に楽曲を再生させる（ステップＳ３０６）。
【００７６】
そして、制御部１１は、次の画像を再生するか否かの判定を行う（ステップＳ３０７）。制御部１１は、操作部１３からの次の画像の再生の可否を示す操作信号に基づいて次の写真の再生の可否を判定する。
【００７７】
次の写真の再生を行わないと判定した場合（ステップＳ３０７；Ｎｏ）、制御部１１は、画像連動表示処理を終了する。また、次の写真の再生を行うと判定した場合（ステップＳ３０７；Ｙｅｓ）、次に再生する画像データ（一枚分）を記憶部１９に記憶されている画像ファイルデータベース１９４から読み出す（ステップＳ３０１）。
【００７８】
この画像連動表示処理によって、画像を再生中に、撮影位置と撮影日時が同時に表示される。そして、当時聴いていた楽曲が自動的に流れる。そのため、画像を閲覧するユーザは、画像閲覧の際に、より一層の感動を得ることができる。
【００７９】
尚、この画像連動表示処理において、表示部１４に表示されている位置情報と、楽曲情報テーブル１９３内の位置情報とを照合する（ステップＳ３０３）としたが、表示部１４に表されている撮影日時と、楽曲情報テーブル１９３内の再生日時とを照合するとしてもよい。
【００８０】
[楽曲連動再生処理]
図１３は、車載情報処理装置１０において制御部１１が実行する楽曲連動再生処理を示すフローチャートである。楽曲連動再生処理は、ユーザ操作による操作部１３からの操作信号に基づいて開始される。
【００８１】
図１３に示すように、制御部１１は、再生する楽曲データ（１曲分）を記憶部１９に記憶されている楽曲ファイルデータベース１９２から読み出す（ステップＳ４０１）。そして、制御部１１は、読み出した楽曲データに基づいて、音声出力部１５に楽曲を再生させる（ステップＳ４０２）。
【００８２】
次に、制御部１１は、再生される楽曲に対応する位置情報と、画像情報テーブル１９５内の位置情報とを照合する（ステップＳ４０３）。
【００８３】
照合の結果、一致する位置情報がない場合（ステップＳ４０４；Ｎｏ）、制御部１１は、次の楽曲を再生するか否かの判定を行う（ステップＳ４０７）。ステップＳ４０７についての詳細は後述する。
【００８４】
ステップＳ４０３における照合の結果、一致する位置情報がある場合（ステップＳ４０４；Ｙｅｓ）、制御部１１は、一致する位置情報に対応する画像ファイル名の画像データ（１枚分）を、記憶部１９に記憶されている画像ファイルデータベース１９４から読み出す（ステップＳ４０５）。
【００８５】
そして、制御部１１は、読み出した画像データに基づいて、表示部１４に画像を表示させる。同時に、制御部１１は、画像情報テーブル１９５内の、読み出した画像データの画像ファイル名に対応する位置情報と撮影日時とを表示部１４に表示させる（ステップＳ４０６）。
【００８６】
そして、制御部１１は、次の楽曲を再生するか否かの判定を行う（ステップＳ４０７）。制御部１１は、操作部１３からの次の楽曲の再生の可否を示す操作信号に基づいて次の楽曲の再生の可否を判定する。
【００８７】
次の楽曲の再生を行わないと判定した場合（ステップＳ４０７；Ｎｏ）、制御部１１は、楽曲連動再生処理を終了する。また、次の楽曲の再生を行うと判定した場合（ステップＳ４０７；Ｙｅｓ）、次に再生する楽曲データ（１曲分）を記憶部１９に記憶されている楽曲ファイルデータベース１９２から読み出す（ステップＳ４０１）。
【００８８】
この楽曲連動再生処理によって、楽曲を再生中に、過去に当該楽曲を再生した際に撮影した画像が自動的に表示される。更に、当該画像の位置情報と撮影日時も同時に表示される。そのため、ユーザは、楽曲を聴く際に、より一層の感動を得ることができる。
【００８９】
尚、この楽曲連動再生処理において、再生される楽曲に対応する位置情報と、画像情報テーブル１９５内の位置情報とを照合する（ステップＳ４０３）としたが、再生される楽曲に対応する再生日時と、画像情報テーブル１９５内の撮影日時とを照合するとしてもよい。
【００９０】
尚、本実施形態において、情報処理装置を車載情報処理装置として適用した場合について説明したが、情報処理装置は車載情報処理装置に限定されるものではない。例えば、情報処理装置における記憶部１９を、情報処理装置に接続して用いるＤＡＰとしても良く、さらにＧＰＳ付きＤＡＰを情報処理装置として適用しても良い。
【００９１】
さらに、情報処理装置における、楽曲再生手段及び外部記憶媒体２０が各々ＤＡＰやデジカメなど、情報処理装置に接続される外部の装置である構成も考えられる。この場合、図１４に示すように、ＤＡＰ２２が情報処理装置に接続され、再生した楽曲に関連する位置情報をＤＡＰ２２に記憶した場合、前記情報処理装置への接続を解除後、ＤＡＰ２２にデジカメ２１を接続することによって、楽曲情報と画像情報を対応付け、これら関連付けられた楽曲及び画像をＤＡＰ２２により再生しても良い。
【００９２】
尚、本実施形態において、画像データは、静止画像、動画像、いずれにも適用可能である。
【図面の簡単な説明】
【００９３】
【図１】車載情報処理装置のブロック図である。
【図２】位置時間情報テーブルのデータ構成図である。
【図３】楽曲ファイルデータベースのデータ構成図である。
【図４】楽曲情報テーブルのデータ構成図である。
【図５】画像ファイルデータベースのデータ構成図である。
【図６】画像情報テーブルのデータ構成図である。
【図７】デジカメ内画像ファイルデータベースのデータ構成図である。
【図８】デジカメ内画像情報テーブルのデータ構成図である。
【図９】楽曲通常再生処理のフローチャート図である。
【図１０】楽曲自動再生処理のフローチャート図である。
【図１１】画像取得処理のフローチャート図である。
【図１２】画像連動表示処理のフローチャート図である。
【図１３】楽曲連動再生処理のフローチャート図である。
【図１４】ＤＡＰを外部接続する車載情報処理装置のブロック図である。
【符号の説明】
【００９４】
１０      車載情報処理装置
１１      制御部
１２      ＲＯＭ
１３      操作部
１４      表示部
１５      音声出力部
１６      通信部
１７      Ｉ／Ｆ部
１８      現在地検出部
１９      記憶部
２０      外部記憶媒体
２１      デジカメ
２２      ＤＡＰ
１９１    位置時間情報テーブル
１９２    楽曲ファイルデータベース
１９３    楽曲情報テーブル
１９４    画像ファイルデータベース
１９５    画像情報テーブル
２０１    デジカメ内画像ファイルデータベース
２０２    デジカメ内画像情報テーブル
【図１】
0005151243.tif 000002
【図２】
0005151243.tif 000003
【図３】
0005151243.tif 000004
【図４】
0005151243.tif 000005
【図５】
0005151243.tif 000006
【図６】
0005151243.tif 000007
【図７】
0005151243.tif 000008
【図８】
0005151243.tif 000009
【図９】
0005151243.tif 000010
【図１０】
0005151243.tif 000011
【図１１】
0005151243.tif 000012
【図１２】
0005151243.tif 000013
【図１３】
0005151243.tif 000014
【図１４】
0005151243.tif 000015